(57)【要約】
【課題】女性でも握りやすく違和感なく使用することができ、力を入れやすい親指で容易に着火操作を行うことができ、また、遠くに位置するものに容易に着火できると共に、花火等の危険物には離れて安全に着火することができ、さらに、不使用時には壁のフックなどに引っ掛けることができるが、その係止手段を設けても見映えが悪くならない点火棒を提供する。
【解決手段】手で握持するグリップ部と、そのグリップ部から前方へ突出するパイプ部と、そのパイプ部の先端に設けられた着火部とを有し、横向き姿勢の状態で、グリップ部が流線形にデザインされると共に、そのグリップ部の上面部に親指で押して操作できる着火操作部が配設される。また、上記パイプ部は伸縮しうるように形成される。グリップ部には係止部材が、上記グリップ部から外方へ突出しうるとともに、上記グリップ部内に没入しうるように設けられる。
【選択図】図１
0003100475.tif 000002
【実用新案登録請求の範囲】
【請求項１】
　手で握持するグリップ部と、そのグリップ部から前方へ突出するパイプ部と、そのパイプ部の先端に設けられた着火部とを有する点火棒であって、横向き姿勢の状態で、上記グリップ部が流線形にデザインされると共に、そのグリップ部に着火操作部が配設されたことを特徴とする点火棒。
【請求項２】
　上記着火操作部は、上記グリップ部を握持した場合に親指が当接しうるように、上記グリップ部の上面部に形成され、親指で押して操作するように形成されていることを特徴とする請求項１記載の点火棒。
【請求項３】
　上記パイプ部は伸縮しうるように形成されていることを特徴とする請求項１又は２記載の点火棒。
【請求項４】
　上記グリップ部に係止部材が、上記グリップ部から外方へ突出しうるとともに、上記グリップ部内に没入しうるように設けられていることを特徴とする請求項１、２又は３記載の点火棒。
【請求項５】
　上記係止部材は、上記グリップ部に対し出没させるための指掛操作部と、フック等に引っ掛けるための孔部と、上記グリップ部から抜け止めするためのストッパ部とを有し、上記グリップ部に対し没入した状態で、上記指掛操作部のみ露出して、その他の部位はグリップ部内に隠れうるように形成されていることを特徴とする請求項４記載の点火棒。
【考案の詳細な説明】
【技術分野】
【０００１】
　本考案は、点火棒に関する。
【背景技術】
【０００２】
　従来の点火棒、特に、手で握持するグリップ部と、そのグリップ部から前方へ突出するパイプ部と、パイプ部の先端に設けられた着火部とを有する点火棒は、全体形状がピストルをイメージさせるデザインになったものが多かった。
【０００３】
　上記のように、ピストルをイメージするようにデザインされた従来の点火棒は、グリップ部が細長直方体状にやや大型に形成されていることから、特に女性などが使用する場合に違和感があった。
【０００４】
　また、従来の点火棒は、着火操作を行う操作レバーがグリップ部の下面側に配設され、その操作レバーをピストルの引き金のように人差指で後方へ引くことにより着火操作を行う形式のものや、特許文献１に記載されているように、グリップ部の中央部に設けられた枠部の内側に同様に人差指で後方へ引くことにより着火操作を行う操作レバーを設けた形式のものが多かった。
【０００５】
　上記のように、人差指で引く構造の着火操作部は、指に力がはいりにくく、操作しにくいという不具合があった。
【０００６】
　また、従来の点火棒は、祭壇の高い場所にあるローソクに着火したり、厨房のガスコンロのうち奥に位置するものに着火するような場合に、手を長く伸ばさなければならず、着火しにくいという不具合があった。
【０００７】
　また、従来の点火棒は、花火に着火する場合に、花火に接近し過ぎるので、危険であるという不具合があった。
【０００８】
　また、従来の点火棒は、不使用時に壁のフックなどに引っ掛けて保持するためのリングなどが、グリップ部の後端部に突出状態に設けられているので、見映えが悪いという不具合があった。
【特許文献１】特開２００１−２１５０１４号公報
【考案の開示】
【考案が解決しようとする課題】
【０００９】
　本考案の課題は、女性でも握りやすく違和感なく使用することができるデザインを有すると共に、人差指ではなく、力を入れやすい親指で容易に着火操作を行うことができ、また、遠くに位置するものに容易に着火できると共に、花火等の危険物には離れて安全に着火することができ、さらに、不使用時には壁のフックなどに引っ掛けることができるが、その係止手段を設けても見映えが悪くならない点火棒を提供することにある。
【課題を解決するための手段】
【００１０】
　上記課題を解決するために、請求項１記載の本考案の点火棒は、手で握持するグリップ部と、そのグリップ部から前方へ突出するパイプ部と、そのパイプ部の先端に設けられた着火部とを有する点火棒であって、横向き姿勢の状態で、上記グリップ部が流線形にデザインされると共に、そのグリップ部に着火操作部が配設されたことを特徴とするものである。
【００１１】
　これにより、本考案の点火棒にあっては、グリップ部のデザインが洗練されたものとなって、従来のピストル形状のイメージが払拭される。
【００１２】
　また、請求項２記載の本考案の点火棒は、上記着火操作部が、上記グリップ部を握持した場合に親指が当接しうるように、上記グリップ部の上面部に形成され、親指で押して操作するように形成されていることを特徴とする。
【００１３】
　これにより、本考案の点火棒にあっては、親指を使用して操作することにより，従来の人差指を用いる場合に比べ、より強い力で着火操作部を操作することができる。
【００１４】
　また、請求項３記載の本考案の点火棒は、上記パイプ部が伸縮しうるように形成されていることを特徴とする。
【００１５】
　これにより、本考案の点火棒にあっては、遠くのものや危険物などに着火する場合に、上記パイプ部を伸ばして着火することができる。
【００１６】
　また、請求項４記載の本考案の点火棒は、上記グリップ部に係止部材が、上記グリップ部から外方へ突出しうるとともに、上記グリップ部内に没入しうるように設けられていることを特徴とする。
【００１７】
　これにより、本考案の点火棒にあっては、上記係止部材を上記グリップ部から突出させて壁などに設けられたフックなどに引っ掛けて吊るすことができると共に、上記係止部材を使用しないときはグリップ部内に没入させることができる。
【００１８】
　また、請求項５記載の本考案の点火棒は、上記係止部材が、上記グリップ部に対し出没させるための指掛操作部と、フック等に引っ掛けるための孔部と、上記グリップ部から抜け止めするためのストッパ部とを有し、上記グリップ部に対し没入した状態で、上記指掛操作部のみ露出して、その他の部位はグリップ部内に隠れうるように形成されていることを特徴とする。
【００１９】
　これにより、本考案の点火棒にあっては、上記係止部材を使用しないときに、上記指掛操作部のみ露出して、その他の部位はグリップ部内に隠れることから、係止部材を設けても全体の形状を損なうことがない。
【考案の効果】
【００２０】
　請求項１記載の本考案の点火棒は、上記グリップ部が流線形にデザインされて洗練されたものになることにより、従来のピストル形状のイメージが払拭されると共に、握りやすくもなるので、女性でも違和感なく使用することができる。
【００２１】
　また、請求項２記載の本考案の点火棒は、上記グリップ部の上面部に着火操作部が配設されたことから、上記グリップ部を手で握持したときに、親指がグリップ部の上面部に配設された着火操作部に自然に位置することになるので、その親指でスムースに着火操作を行なうことができる。そして、その着火操作は、上記着火操作部を親指で押すものであることから、従来のように人差指を使用するよりも強い力で着火操作部を操作することができるので、操作がしやすいと共に、確実に操作することができる。
【００２２】
　また、請求項３記載の本考案の点火棒は、上記パイプ部が伸縮しうるように形成されていて、遠くのものに着火する場合に上記パイプ部を伸ばして着火することができることから、祭壇の高い場所にあるローソクや、厨房のガスコンロのうち奥に位置するものに容易に着火することができると共に、花火など危険性のあるものには離れて安全に着火することができる。
【００２３】
　また、請求項４記載の本考案の点火棒は、上記グリップ部に係止部材が、上記グリップ部から外方へ突出しうるとともに、上記グリップ部内に没入しうるように設けられていることから、上記係止部材を上記グリップ部から突出させて壁などに設けられたフックなどに引っ掛けて吊るすことにより、容易に保管できるとともに、上記係止部材を使用しないときはグリップ部内に没入させることができるので、その係止部材が邪魔になることがない。
【００２４】
　また、請求項５記載の本考案の点火棒は、上記係止部材が、上記グリップ部に対し出没させるための指掛操作部と、フック等に引っ掛けるための孔部と、上記グリップ部から抜け止めするためのストッパ部とを有し、上記グリップ部に対し没入した状態で、上記指掛操作部のみ露出して、その他の部位はグリップ部内に隠れうるように形成されていることから、上記係止部材を使用しないときに、上記指掛操作部のみ露出して、その他の部位はグリップ部内に隠れて、全体の形状が損なわれないので、上記係止部材を設けても見映えが悪くなることがない。
【考案を実施するための最良の形態】
【００２５】
　以下、添付した図面を参照して本考案の実施形態について説明する。
　本実施形態に係る点火棒１は、図１に示すように、手で握持するグリップ部２と、そのグリップ部２から前方へ突出するパイプ部３と、そのパイプ部３の先端に設けられた着火部４とを有する点火棒１であって、横向き姿勢の状態で、上記グリップ部２が流線形にデザインされると共に、そのグリップ部２に着火操作部５が配設されている。
　そして、上記着火操作部５は、図１及び図２に示すように、上記グリップ部２を握持した場合に親指が当接しうるように、上記グリップ部２の上面部に形成され、親指で押して操作するように形成されている。
　また、上記パイプ部３は、図４に示すように、伸縮しうるように形成されている。
　また、上記グリップ部２には、図３及び図５〜図９に示すように、係止部材６が設けられ、上記係止部材６は使用時には、図８及び図９に示すように、上記グリップ部２から外方へ突出するとともに、不使用時には、図３、図６及び図７に示すように、上記グリップ部２内に没入しうるように形成されている。
　また、上記係止部材６は、図５に示すように、上記グリップ部２に対し出没させるための指掛操作部７と、フック等に引っ掛けるための孔部８と、上記グリップ部２から抜け止めするためのストッパ部９とを有し、図３、図６及び図７に示すように、上記グリップ部２に対し没入した状態で、上記指掛操作部７のみ露出して、その他の部位はグリップ部２内に隠れうるように形成されている。
【実施例１】
【００２６】
　本実施例に係る点火棒１は、図１に示すように、手で握持しうるハンドル部２から前方へパイプ部３が突設され、そのパイプ部３の先端に着火部４が設けられた構成を有している。
【００２７】
　そして、上記グリップ部２はプラスチックにより成形され、図１に示すように、その側面形状は突出部位がどこにも存在しない流線形に形成されている。
【００２８】
　すなわち、上記グリップ部２を横向き姿勢にしたときに、図１に示すように、その上面部１０となる面は前端からほぼ水平に後方へ向い、後端部に接近するに従い円弧状にカーブしながら次第に下降して後面部１１に連続し、また、下面部１２となる面は、後端から前方へ水平のまま向い、その前後方向の略中央部で上方へ曲がって傾斜しながら前端部に至っている。
【００２９】
　従って、上記グリップ部２の側面形状は、図１に示すように、前後方向に長い板状で、その前半部の下面側が略三角形に切り欠かれた形状になっており、その前半部が幅狭で、後半部が幅広に形成されている。これにより、従来品のグリップ部のようなピストルのイメージが払拭されると共に、握りやすくなるので、女性でも違和感なく使用することができる。
【００３０】
　上記グリップ部２の形状により、そのグリップ部２を手で握持すると、親指がちょうど上記上面部１０の上に載置された状態となる。そして、図１に示すように、上記上面部１０における前端部、すなわち、親指の先端部がちょうど位置する箇所に着火操作部５が配設されている。
【００３１】
　従って、上記着火操作部５は親指で操作できるように押ボタン式になっており、その操作はグリップ部２の内方、すなわち、下面部１２側へ押すことになる。
　このように親指で押す操作の場合、従来の点火棒のように人差指で操作レバーを後方へ引く操作に比べ、力が入りやすいので、操作が確実となる。
【００３２】
　上記パイプ部３は金属により形成され、図１に示すように、上記グリップ部２の前端から前方へ向って突設されている。このパイプ部３は，図４に示すように、伸縮しうる構造に形成されている。すなわち、上記パイプ部３は、上記グリップ部２に接続された基端側パイプ部材１３と、その基端側パイプ部材１３より細径で、基端側パイプ部材１３の内部に前後方向へスライドしうるように組み付けられた中間パイプ部材１４と、その中間パイプ部材１４より細径で、中間パイプ部材１４の内部に前後方向へスライドしうるように組み付けられた先端側パイプ部材１５とにより構成されている。
【００３３】
　そして、上記先端側パイプ部材１５の先端に風防１６が設けられ、、その風防１６の内側に着火部４が設けられている。
【００３４】
　なお、本実施例に係る上記パイプ部３は、基端側パイプ部材１３、中間パイプ部材１４及び先端側パイプ部材１５という３本のパイプ部材で構成されているが、より多数のパイプ部材を用いて構成することも可能である。
【００３５】
　上記先端側パイプ部材１５を後方へ押し込んで上記中間パイプ部材１４の内部に挿入させると共に、当該中間パイプ部材１４も同様に基端側パイプ部材１３の内部に挿入させると、図１に示すように、上記パイプ部３の全長は短縮した状態になる。逆に、上記先端側パイプ部材１５を前方へ引いて上記中間パイプ部材１４から突出させると共に、当該中間パイプ部材１４を基端側パイプ部材１３から突出させると、図４に示すように、上記パイプ部３の全長は伸長した状態となる。
【００３６】
　そして、上記パイプ部３を上記のように伸長させれば、例えば、祭壇の高い場所にあるローソクや、厨房のガスコンロのうち奥に位置するものなどに、無理して手を伸ばさなくとも、容易に着火することができる。
　また、花火など危険物には離れて安全に着火することができる。
【００３７】
　また、上記グリップ部２における後端部の下面側には、図３及び図５〜図９に示すように、係止部材６が設置されている。この係止部材６は上記グリップ部２に対し出没しうるように、すなわち、図８及び図９に示すように、上記グリップ部２から後方へ突出しうるとともに、図３、図６及び図７に示すように、上記グリップ部２内に没入しうるように、上記グリップ部２の下面部１２に形成された取付孔部１７に装着されている。
【００３８】
　上記係止部材６は、図５に示すように、プラスチックにより略板状に成形され、指掛操作部７と、孔部８と、ストッパ部９とを有している。
【００３９】
　上記指掛操作部７は、上記グリップ部２の取付孔部１７に対し出没させるときに指を掛けて操作するためのもので、図５に示すように、細長い板状部材１８の先端部に下面側へ突出するように設けられている。そして、この指掛操作部７の表面には滑り止め用の突条１９が形成されている。
【００４０】
　上記孔部８は、壁等に取り付けられたフック等に引っ掛けて保持するためのもので、図５に示すように、上記指掛操作部７の内方箇所に設けられている。
【００４１】
　上記ストッパ部９は、上記グリップ部２に対し係止部材６を抜け止めするためのもので、図５に示すように、上記係止部材６の基端部に設けられ、図９に示すように、上記取付孔部１７の奥縁部２０に係止しうるように上面側へ突出されて略Ｌ字形に形成されている。
【００４２】
　上記係止部材６は、使用する場合は、図８及び図９に示すように、上記のようにグリップ部２から突出させ、不使用時は、図３、図６及び図７に示すように、グリップ部２の取付孔部１７の内部に没入させるが、そのとき、上記指掛操作部７のみが露出して、その指掛操作部７の外面とグリップ部２の外面とが略面一になり、その他の部位はグリップ部２内に完全に隠れうるように形成されている。
【００４３】
　次に、点火棒１の内部機構について概略的に説明する。図１０に示すように、上記グリップ部２の内部には、ブタンガス等を液化状態で収納した燃料タンク２１が収納され、その燃料タンク２１の上蓋２２にバルブ機構２３と、圧電機構２４とが保持されている。
【００４４】
　上記燃料タンク２１には、上記バルブ機構２３を介してガス送給部材２５が接続されている。そのガス送給部材２５は、細径のパイプ状に形成され、上記パイプ部３の内部を通過して、そのパイプ部３の先端に達している。そして、そのガス送給部材２５の先端にガス噴出ノズル２６が設けられている。
【００４５】
　上記ガス送給部材２５は上記パイプ部３と連動して伸縮しうるように形成されている。このガス送給部材２５の伸縮機構は自由である。例えば、上記パイプ部３のように、複数のパイプ部材をスライド自在に組み付けた構造にしたり、弾性を有して伸縮しうるゴム系素材を用いて形成したり、伸縮可能な蛇腹部を有する構造にしたり、上記パイプ部３を伸長したときは引っ張られて一直線状になると共に上記パイプ部３短縮したときは屈曲しうるような柔軟性を有する素材で形成すること等が可能である。
【００４６】
　上記パイプ部３における上記先端側パイプ部材１５には、上記ガス噴出ノズル２６の近傍に放電用電極２７が形成されている。
【００４７】
　この放電用電極２７と、上記ガス噴出ノズル２６とにより、上記着火部４が構成されている。上記放電用電極２７は上記圧電機構２４と通電されており、上記圧電機構２４から放電用電極２７へ給電される。
【００４８】
　上記着火操作部５と、上記圧電機構２４及び上記バルブ機構２３は連動するように組み付けられている。上記圧電機構２４は公知の構造のもので、衝撃を加えると、高電圧パルスを生起させる圧電素子を使用している。
【００４９】
　すなわち、上記着火操作部５を上記のように親指で押すと、その圧力により圧電機構２４が高電圧パルスを発生し、その電圧が上記放電用電極２７に供給され、その放電用電極２７から上記ガス噴出ノズル２６へ放電される。
【００５０】
　また、上記バルブ機構２３はガス供給路を開閉する機能を有し、通常は、ガス供給路を遮断しているが、上記着火操作部５を親指で押すとガス供給路を開き、上記燃料タンク２１から上記ガス送給部材２５を介して上記ガス噴出ノズル２６へガスが供給される。
【００５１】
　従って、上記着火操作部５を親指で押すと、上記ガス噴出ノズル２６からガスが噴出すると共に、上記放電用電極２７から放電されるので、噴出したガスに放電火花が着火して、ガスが燃焼することになる。
【００５２】
　なお、上記バルブ機構２３は、図１０に示すように、上記グリップ部２の側面部に設けられた炎調整ツマミ２８を操作することにより、そのガス供給路を狭小にしたり、逆に拡大して、ガス噴出量を調整しうるように形成されている。
【００５３】
　また、上記グリップ部２の側面部には、図１０に示すように、上記着火操作部５を不動状態に固定して着火不能としたり、その状態を解除して着火操作を可能にしうるスライド式ロックボタン２９が設けられている。
【００５４】
　また、上記グリップ部２の側面部には、図１０に示すように、上記燃料タンク２１内の液化状態の燃料の残存量を視認しうる燃料確認窓部３０が設けられている。
【産業上の利用可能性】
【００５５】
　本考案は、手で握持するグリップ部と、そのグリップ部から前方へ突出するパイプ部と、パイプ部の先端に設けられた着火部とを有する全ての点火棒に適用可能である。
【図面の簡単な説明】
【００５６】
【図１】実施例１の点火棒の正面図である。
【図２】実施例１の点火棒の平面図である。
【図３】実施例１の点火棒の底面図である。
【図４】実施例１の点火棒のパイプが伸長した状態を示す正面図である。
【図５】実施例１の点火棒における係止部材の斜視図である。
【図６】実施例１の点火棒における係止部材がグリップ部内に没入した状態を示すグリップ部後端の一部底面図である。
【図７】実施例１の点火棒における係止部材がグリップ部内に没入した状態を示すグリップ部後端の一部断面図である。
【図８】実施例１の点火棒における係止部材がグリップ部から突出した状態を示すグリップ部後端の一部底面図である。
【図９】実施例１の点火棒における係止部材がグリップ部から突出した状態を示すグリップ部後端の一部断面図である。
【図１０】実施例１の点火棒における内部機構の概略説明図である。
【符号の説明】
【００５７】
　１　　点火棒
　２　　ハンドル部
　３　　パイプ部
　４　　着火部
　５　　着火操作部
　６　　係止部材
　７　　指掛操作部
　８　　孔部
　９　　ストッパ部
１０　　上面部
１１　　後面部
１２　　下面部
１３　　基端側パイプ部材
１４　　中間パイプ部材
１５　　先端側パイプ部材
１６　　風防
１７　　取付孔部
１８　　板状部材
１９　　突条
２０　　奥縁部
２１　　燃料タンク
２２　　上蓋
２３　　圧電機構
２４　　バルブ機構
２５　　ガス送給部材
２６　　ガス噴出ノズル
２７　　放電用電極
２８　　炎調整ツマミ
２９　　ロックボタン
３０　　燃料確認窓部
【図１】
0003100475.tif 000003
【図２】
0003100475.tif 000004
【図３】
0003100475.tif 000005
【図４】
0003100475.tif 000006
【図５】
0003100475.tif 000007
【図６】
0003100475.tif 000008
【図７】
0003100475.tif 000009
【図８】
0003100475.tif 000010
【図９】
0003100475.tif 000011
【図１０】
0003100475.tif 000012